(57)【特許請求の範囲】
【請求項１】
シャワーユニット（１０１）、便器ユニット（１０２）、および洗面台（１０３）を含む筐体キャビネット（１００ａ）を備え、前記シャワーユニット（１０１）は前記筐体キャビネット（１００ａ）の上部に配置され、前記シャワーユニット（１０１）は前記シャワーユニットを作動させるためのシャワーヘッド（１３６）、ハンドシャワー、およびミキサ（１３８）を含み、前記シャワーヘッド（１３６）は使用していないときは前記筐体キャビネット（１００ａ）内に隠れるように配置され、前記シャワーユニット（１０１）は休止位置と使用可能位置との間で移動可能であり、前記便器ユニット（１０２）は前記筐体キャビネット（１００ａ）の下部に配置され、前記洗面台（１０３）は前記シャワーユニット（１０１）と並んで前記筐体キャビネット（１００ａ）の上部に配置され、前記シャワーユニット（１０１）は前記便器ユニット（１０２）と同じ垂直面に設置され、前記便器ユニット（１０２）は便器（１４４）を備え、前記便器（１４４）は隠れ位置と露出位置との間で移動可能であり、前記便器（１４４）は、背板（１２８）に接続され、前記背板（１２８）は、前記隠れ位置と前記露出位置との間の便器（１４４）の移動を可能にするために、ホイールベースに配置されるとともに、設置場所に設置するための伸縮レールを備えている、積み重ね可能なトイレ（１００）。
【請求項２】
前記便器（１４４）は、使用されていないとき、筐体キャビネット（１００ａ）内に隠されるように配置される、請求項１に記載の積み重ね可能なトイレ（１００）。
【請求項３】
前記便器ユニット（１０２）は、
前記便器が使用されていないときに便器（１４４）を隠すためのプルドア（１２６ａ、１２６ｂ）と、
便器（１４４）に接続されたハンドル（１２５）と、をさらに含み、
これにより、ハンドル（１２５）は、隠れ位置と露出位置との間で便器（１４４）を作動させるために使用される、
請求項１または２に記載の積み重ね可能なトイレ（１００）。
【請求項４】
プルドア（１２６ａ、１２６ｂ）は、便器（１４４）の前記隠れ位置から前記露出位置への移動によって開くように作動する、請求項３に記載の積み重ね可能なトイレ（１００）。
【請求項５】
便器（１４４）が、前記隠れ位置と前記露出位置との間の便器（１４４）の動きに対応する格納式汚水管（１３０）に接続されている、請求項１に記載の積み重ね可能なトイレ（１００）。
【請求項６】
前記格納式汚水管（１３０）の移動端が前記便器に接続され、他端が壁または床に固定されている、請求項５に記載の積み重ね可能なトイレ（１００）。
【請求項７】
前記便器（１４４）は、洗浄水管（１３２）によって洗浄水タンク（１１６）に接続される、請求項１に記載の積み重ね可能なトイレ（１００）。
【請求項８】
洗面台（１０３）は、前記筐体キャビネット（１００ａ）の上部の腰の高さの鏡（１０４）の下に配置されている、請求項１に記載の積み重ね可能なトイレ（１００）。
【請求項９】
前記筐体キャビネット（１００ａ）の上部の前記シャワーユニット（１０１）の下に収納キャビネット（１０５）が配置されている、請求項１に記載の積み重ね可能なトイレ（１００）。
【請求項１０】
前記筐体キャビネット（１００ａ）の下部に収納キャビネット（１０６）が配置されている、請求項１に記載の積み重ね可能なトイレ（１００）。
【請求項１１】
前記筐体キャビネット（１００ａ）は、前記シャワーユニット（１０１）、前記便器ユニット（１０２）、前記洗面台（１０３）、および洗浄水タンク（１１６）を接続するための管および水槽の隠れシステムを含む、請求項１に記載の積み重ね可能なトイレ（１００）。
【請求項１２】
前記筐体キャビネット（１００ａ）の上部の鏡（１０４）と前記洗面台（１０３）との間に電源ソケット（１４３）が配置されている、請求項１に記載の積み重ね可能なトイレ（１００）。
【請求項１３】
壁（１５０）および縦棒（１５１ａ、１５１ｂ）に配置された前記洗面台（１０３）は垂直方向に沿って移動可能であり、前記洗面台（１０３）は、その垂直方向の動きのためにばね棒（１４６）に配置されている、請求項１に記載の積み重ね可能なトイレ（１００）。
【請求項１４】
前記洗面台（１０３）は、移動可能であり、かつ、異なる係止穴（１４９）で前記ばね棒（１４６）を係止することにより異なる高さで係止され、前記係止穴は、前記縦棒（１５１ａ、１５１ｂ）に配置されている、請求項１３に記載の積み重ね可能なトイレ（１００）。
【請求項１５】
背板（１２８）は便器（１４４）の重量を支持するように適合されている、請求項１に記載の積み重ね可能なトイレ（１００）。
【発明の詳細な説明】
【技術分野】
【０００１】
本明細書で説明する本主題は、概して、衛生ユニットに関し、特に、可動バスルーム設備、例えば、積み重ね可能なトイレに関する。
【背景技術】
【０００２】
従来のバスルームは、建設が完了したときに典型的なバスルーム設備（シンク、壁、シャワー、トイレなど）が恒久的に固定されるように設計されている。つまり、これらの設備の配置は最初のユーザには適しているかもしれないが、後続のユーザには受け入れられないかもしれない。それ以降のユーザは、年齢、身長、身体の可動性（または障害）などを含む多くの理由で、設計が受け入れられない場合がある。従来技術は、まだこの問題を認識できておらず、解決策を示唆するものはほとんどない。
【０００３】
すべてのバスルームまたは衛生ユニットは、シンクまたは洗面台、便器、シャワーの３つの主要構成要素を有している。これらの構成要素は様々な高さにあり、便器はより低いレベルにあり、シンクはほぼ腰の高さにあり、シャワーヘッドはほぼユーザの頭の上にある。ただし、これらすべての構成要素は通常、垂直ではなく水平に配置される。また、ある時点では１つの構成要素のみを使用するが、他の２つの構成要素が占めるスペースは技術的に無駄になる。
【０００４】
米国特許第５，３３７，５２５号明細書（Ｚａｃｃａｉ他）は適応性を議論しているが、その程度は限られている。この特許は、入浴領域のレールシステムを開示している。レールシステムにより、石鹸入れと座席とを入浴領域の周囲に配置できるが、入浴領域のサイズは固定されており、シャワーヘッド／蛇口の配置も固定されている。
【０００５】
他のすべての先行技術特許は、モジュール化を使用して建設を容易にするか、障害者が使用するためにバスルーム設備を変更する。いずれの場合も、固定具は恒久的にバスルーム構造に組み込まれ、適応性を妨げている。
【０００６】
次の特許、米国特許第３，２３０，５４９号明細書（ＭｃＭｕｒｔｒｉｅ他）、米国特許第３，５３３，２００号明細書（Ｚｏｅｂｅｌｅｉｎ）、米国特許第３，７６５，１３９号明細書（Ｌｉｔｖｉｎ他）、米国特許第４，６５３，１２８号明細書（Ｃａｎａｌｉｚｏ）、および米国特許第５，９０３，９３７号明細書（Ｃｌａｒｋｅ）はすべてモジュール性を教えている。あらゆる場合のモジュール性の文脈は、バスルームユニットの製造、保管、配達のコストを低減することである。これらすべての特許発明の目的は、従来のバスルームを低コストで提供することである。いずれの場合でも、構築されたバスルームは、すべての備品が壁や床に恒久的に取り付けられている。
【０００７】
米国特許第４，９２８，３２９号明細書（Ｐａｌｍｅｒｉ）は、障害者が使用するための変更された従来のバスルーム設備を開示している。本発明は、従来の恒久的な固定具を、障害者がアクセス可能な恒久的な固定具に簡潔に置き換える。
【０００８】
したがって、シンク、便器、シャワーなどのすべての必須構成要素を使用して設計でき、同時に、機能に妥協することなく特定のスペースのスペース制約の問題に対処できるバスルームまたは一体型の衛生ユニットが必要である。
【先行技術文献】
【特許文献】
【０００９】
【特許文献１】米国特許第５，３３７，５２５号明細書
【特許文献２】米国特許第３，２３０，５４９号明細書
【特許文献３】米国特許第３，５３３，２００号明細書
【特許文献４】米国特許第３，７６５，１３９号明細書
【特許文献５】米国特許第４，６５３，１２８号明細書
【特許文献６】米国特許第５，９０３，９３７号明細書
【特許文献７】米国特許第４，９２８，３２９号明細書
【発明の概要】
【発明が解決しようとする課題】
【００１０】
本主題の目的は、豪華さを損なうことなく、任意の空間に適合し得る可動バスルーム設備を提供することである。
【００１１】
本主題の別の目的は、例えばシャワーユニット、便器ユニット、およびシンクなどのすべての必須構成要素を備えた一体型の可動バスルーム設備を提供することである。
【００１２】
本主題の別の目的は、プラグ・アンド・プレイ装置のライン上で機能することを可能にするトイレの必須の積み重ねられた実用性を有する一体型の可動バスルーム設備を提供することである。
【００１３】
本主題のさらに別の目的は、省スペースである一体型の可動バスルーム設備を提供することである。
【００１４】
本主題のさらに別の目的は、費用効果の高い可動バスルーム設備を提供することである。
【００１５】
本主題のさらに別の目的は、ユーザの利便性に従って移動しやすい可動バスルーム用設備を提供することである。
【００１６】
本主題のさらに別の目的は、管および水槽の隠れシステムを含むことにより、一体型のシステムの審美的魅力を高める可動バスルーム用設備を提供することである。
【課題を解決するための手段】
【００１７】
本明細書に記載の本主題は、可動バスルーム設備、より詳細には、積み重ね可能なトイレに関する。積み重ね可能なトイレは、シャワーユニットと、便器ユニットと、洗面台とを含む筐体キャビネットを備えている。シャワーユニットは、前記キャビネットの上部に配置されている。便器ユニットは、筐体キャビネットの下部に配置されている。洗面台は、シャワーユニットと並んで筐体キャビネットの上部に配置されている。
【００１８】
本主題の一実施形態によれば、シャワーユニットは、筐体キャビネットの上部収納内に隠されたシャワーヘッドと、ハンドシャワーと、シャワーユニットを作動させるミキサとを備えていてもよい。
【００１９】
本主題の別の実施形態によれば、シャワーユニットは、休止位置から使用可能な位置に引っ張られるべくホイールベースに配置されていてもよい。
【００２０】
本主題の別の実施形態によれば、便器ユニットはプルドアと、ホイールベースに配置された背板に接続された便器であって、便器ユニットの前方への移動を可能にするために、汚水管と２つ以上の伸縮レールとに接続された便器と、便器を引っ張るためのハンドルと、を備えていてもよい。
【００２１】
本主題の別の実施形態によれば、便器ユニットの便器は、洗浄水管によって洗浄水タンクに接続されていてもよい。
【００２２】
本主題の別の実施形態によれば、洗面台は、筐体キャビネットの上部の腰の高さの鏡の下に配置されていてもよい。
【００２３】
本主題の別の実施形態によれば、洗面台は、歯ブラシ用の１つ以上のスタンドおよび石鹸用の１つ以上のトレイを備えていてもよい。
【００２４】
本主題の別の実施形態によれば、筐体キャビネットの上部のシャワーユニットの下に収納キャビネットが配置されていてもよい。
【００２５】
本主題の別の実施形態によれば、筐体キャビネットの下部に収納キャビネットが配置されていてもよい。
【００２６】
本主題の別の実施形態によれば、積み重ね可能なトイレは、シャワーユニット、便器ユニット、洗面台、洗浄水タンクなどを接続するための隠れた管および水槽のシステムを備えていてもよい。
【００２７】
本主題の別の実施形態によれば、筐体キャビネットの上部の鏡と洗面台との間に電源ソケットが配置されていてもよい。
【００２８】
本主題の別の実施形態によれば、壁および縦棒に配置された洗面台またはシンクは、垂直方向に沿って移動可能であってもよい。洗面台シンクは、その垂直方向の動きのためにばね棒に配置されていてもよい。
【００２９】
本主題の別の実施形態によれば、洗面台は移動可能であり、ばね棒を異なる係止穴に係止することにより、異なる高さに係止され得るものであってもよい。係止穴は縦棒に配置されていてもよい。
【００３０】
本明細書に記載の本主題は、スペースを節約し、コストを節約し、コンパクトな構造を提供するシャワーユニット、便器ユニット、および洗面台の一体型システムを提供する積み重ね可能なトイレに関する。積み重ね可能なトイレの構成要素は、使用する必要があるとき、および必要に応じて前後に移動できるようにホイールベースに配置されている。積み重ね可能なトイレは、キャビネットの審美的な魅力を高めるために、管と水槽との隠れシステムも備えている。
【００３１】
本主題の前述およびさらなる目的、特徴、および利点は、添付の図面を参照した例示的な実施形態の以下の説明から明らかになるであろう。図面では、同様の数字は同様の要素を表すために使用される。
【００３２】
ただし、添付の図面は本主題の典型的な実施形態のみを示しており、したがって、主題は他の同等に有効な実施形態を認めることができるため、その範囲を限定するものと見なされないことに留意されたい。
【図面の簡単な説明】
【００３３】
【図１Ａ】本主題の一実施形態による積み重ね可能なトイレを示す。
【図１Ｂ】本主題の別の実施形態による、筐体キャビネットを備えた積み重ね可能なトイレの斜視図を示す。
【図２】本主題の別の実施形態による積み重ね可能なトイレにおける筐体キャビネットのシャワーユニットの側断面図を示す。
【図３Ａ】本主題の一実施形態による積み重ね可能なトイレにおける筐体キャビネットの便器ユニットの開閉位置を示す。
【図３Ｂ】本主題の一実施形態による積み重ね可能なトイレにおける筐体キャビネットの便器ユニットの開閉位置の側断面図を示す。
【図４Ａ】本主題の一実施形態による積み重ね可能なトイレにおける筐体キャビネットのシャワーユニットの休止位置および使用可能位置を示す。
【図４Ｂ】本主題の一実施形態による積み重ね可能なトイレにおける筐体キャビネットのシャワーユニットの休止位置および使用可能位置の側面図を示す。
【図５】本主題の一実施形態による積み重ね可能なトイレにおける筐体キャビネットの鏡および洗面台を示す。
【図６】本主題の別の実施形態による可動の洗面台またはシンクの側面図を示す。
【図７】本主題の別の実施形態による可動の洗面台またはシンクの斜視図を示す。
【図８】本主題の一実施形態による可動の洗面台またはシンクの斜視図を示す。
【発明を実施するための形態】
【００３４】
以下は、添付の図面を参照して、本主題の様々な実施形態の詳細な説明を提示する。
【００３５】
本主題の実施形態は、添付の図面を参照して詳細に説明される。しかし、本主題は、本主題を本開示の当業者にさらに明確に説明するためにのみ提供されるこれらの実施形態に限定されない。添付図面において、同様の参照番号は、同様の構成要素を示すために使用される。
【００３６】
詳細な説明は、いくつかの場所での「ある」、「１つの」、「異なる」、または「いくつかの」実施形態を指し得る。これは、そのような参照のそれぞれが同じ実施形態を指すこと、またはその特徴が単一の実施形態にのみ適用されることを必ずしも意味しない。異なる実施形態の単一の特徴を組み合わせて、他の実施形態を提供することもできる。
【００３７】
本明細書で使用するとき、単数形「ａ」、「ａｎ」および「ｔｈｅ」は、特に明記しない限り、複数形も含むことを意図している。本明細書で使用される場合、「含む」、「備える」、「含んでいる」および／または「備えている」という用語は、述べられた特徴、整数、ステップ、操作、要素、および／または構成要素の存在を指定するが、１つ以上の他の機能、整数、ステップ、操作、要素、構成要素、および／またはそれらのグループの存在または追加を排除しないことがさらに理解される。ある要素が別の要素に「取り付け」または「接続」または「結合」または「搭載」されていると呼ばれる場合、他の要素に直接取り付けまたは接続または結合されるか、または介在要素が存在し得ることが理解される。本明細書で使用される「および／または」という用語は、列挙された関連項目の１つまたは複数のありとあらゆる組み合わせおよび配置を含む。
【００３８】
図は、一部の要素と機能的な実在物のみを示す簡略化された構造を示しており、すべてが実装とは異なる論理ユニットである。
【００３９】
図１Ａは、本主題の一実施形態による積み重ね可能なトイレ１００を示している。本明細書に記載の積み重ね可能なトイレ１００は、単一のキャビネット１００ａに積み重ねられた複数のバスルーム設備を備えている。本主題の積み重ね可能なトイレ１００は、シャワーユニット１０１と、便器ユニット１０２と、鏡１０４を備えた洗面台またはシンク１０３とを備える垂直キャビネットまたは筐体キャビネット１００ａである。洗面台１０３は、積み重ね可能なトイレの上部の鏡１０４の下に配置されている。シャワーユニット１０１、洗面台１０３、および鏡１０４は、筐体キャビネット１００ａの上部に配置され、便器ユニット１０２は、筐体キャビネット１００ａの下部に配置される。
【００４０】
本主題の一実施形態では、積み重ね可能なトイレの筐体キャビネットの上部および下部に２つ以上の収納キャビネットが配置され得る。一例では、収納キャビネット１０５は、積み重ね可能なトイレ１００における筐体キャビネット１００ａの上部のシャワーユニットの下に配置され、収納キャビネット１０６は、積み重ね可能なトイレにおける筐体キャビネット１００ａの下部の便器ユニット１０２の側面に配置される。
【００４１】
本主題の別の実施形態では、鏡１０４と洗面台１０３との間に電源ソケット１４３が配置され得る。
【００４２】
本主題の別の実施形態では、シャワーユニット１０１および便器ユニット１０２は、ホイールベース上に載置されてもよく、必要に応じて載置位置から引き離されてもよい。シャワーユニット１０１は、ハンドル１３５を使用することにより、休止位置から使用可能な位置まで引っ張られ得る。同様に、便器ユニット１０２は、ハンドル１２５を使用することにより、休止位置から使用可能な位置まで引っ張られ得る。
【００４３】
筐体キャビネット１００ａを有する積み重ね可能なトイレ１００は、シャワーユニット１０１と、便器ユニット１０２と、バスルーム内で容易に移動可能な洗面台１０３との一体型システムである。
【００４４】
図１Ｂは、本主題の別の実施形態による筐体キャビネット１００ａを有する積み重ね可能なトイレ１００の断面図を示す。積み重ね可能なトイレ１００の筐体キャビネット１００ａは、シャワーユニットと、便器ユニットと、洗面台とを互いに接続する管および水槽の隠れシステムを含む。シャワーユニットは、積み重ね可能なトイレ１００における筐体キャビネット１００ａの最上部に隠されたシャワーヘッド１３６と、隠されたシャワーヘッド１３６に供給される温水および冷水を混合するためのミキサ１１０とを含む。ミキサ１１０は、温水入口１０９から温水を、冷水入口１０８から冷水を自動湯沸かし器から直接入力する。さらに、ミキサ１１０は、シャワー入口１０７を使用することにより、温水と冷水とを混合し、隠されたシャワーヘッド１３６に混合水を出力する。
【００４５】
本主題の実施形態では、主水入口１１８は、洗浄水タンク入口１１７を使用して洗浄水タンク１１６に水を供給し、水道水入口１１５を使用して洗面台に水を供給する。水洗タンクは、便器ユニットからの廃棄物を処分するために、水洗ボタン１１４によって作動され得る。便器ユニットは、洗浄水出口１１３を使用して廃棄物を処分し得る。さらに、便器ユニットの便器は、廃棄物を便器から排出するために汚水管１１２と接続されてもよい。同様に、洗面台は、水出口１１１から水を排出してもよい。さらに、すべての管および水槽は隠れたシステムであってもよく、ユーザには見えなくてもよい。
【００４６】
図２は、本主題の別の実施形態による積み重ね可能なトイレにおける筐体キャビネット１００ａのシャワーユニット１０１の側断面図を示す。シャワーユニット１０１は、最初はホイールベース１１９上の休止位置にあってもよい。
【００４７】
本主題の実装形態によれば、シャワーユニット１０１は、ハンドル１３５を使用して、休止位置から使用可能な位置まで引っ張られ得る。ユーザがシャワーユニット１０１を使用することを望むとき、ユーザは、ホイールベース１１９上にあるシャワーユニットを、ユーザが入浴できる使用可能な位置まで引っ張ることができる。さらに、ユーザは、積み重ね可能なトイレの筐体キャビネットから水がこぼれるのを避けるために、ラック１２３およびピニオン１２２に配置され得るスクリーン１２１を引っ張ることもできる。
【００４８】
本主題の別の実施形態では、スクリーン１２１は電動式であってもよいし、手動で作動させてもよい。
【００４９】
図３Ａは、本主題の一実施形態による積み重ね可能なトイレにおける筐体キャビネットの便器ユニットの開閉位置を示す。便器ユニット１０２は、背板１２８に接続された便器１４４と、便器１４４のトイレ蓋１２７に接続されたハンドル１２５とを備えている。背板は、ホイールベース１２４上にさらに配置されている。便器１４４は、プルドア１２６ａ、１２６ｂの後ろに隠されている。閉位置では、便器ユニット１０２の便器１４４はプルドア１２６ａ、１２６ｂの後ろに隠され、ハンドル１２５のみが収納キャビネット１０６と共に見えるようになる。便器１４４は、隠された位置でホイールベース１２４上の背板１２８に接続されていてもよい。
【００５０】
本主題の実装形態によれば、ハンドル１２５を使用して、便器１４４を休止位置から使用可能位置に引っ張ることができ、そうすることで、プルドア１２６ａ、１２６ｂを大きく開くことができる。便器１４４のホイールベース１２４は、便器１４４をその使用可能な位置に保つためのストッパを有していてもよい。さらに、便器１４４のトイレ蓋１２７を持ち上げて、便器１４４を使用することができる。
【００５１】
本主題の別の実施形態では、便器１４４は、図３Ｂに見られるようにプルドア１２６ａ、１２６ｂの外側に便器１４４を引き出すのに使用され得るホイールベース１２４上にさらに載置される背板１２８上に載置され得る。
【００５２】
図３Ｂは、本主題の一実施形態による積み重ね可能なトイレの筐体キャビネットの便器ユニットの開閉位置の側断面図を示す。閉じた位置では、便器１４４はプルドア１２６ａ、１２６ｂの後ろに隠れている。便器１４４は、隠された位置でホイールベース１２４上の背板１２８に接続されていてもよい。背板１２８は、２つ以上の伸縮レール１２９に接続されている。伸縮レール１２９は格納式であってもよい。伸縮レール１２９は、便器１４４がその使用可能な位置に引きずられるとき、休止位置から伸びる。
【００５３】
本主題の一実施形態では、便器１４４は、便器１４４から廃棄物を洗い流すために使用される汚水管１３０に接続される。汚水管１３０はさらに、主汚水管１３１と接続され、便器１４４からすべての廃棄物を排出する。
【００５４】
本主題の別の実施形態では、便器１４４は、便器１４４内の洗浄を作動させるために、洗浄水管１３２によって洗浄液（図示せず）に接続されてもよい。
【００５５】
本主題の実装形態によれば、ハンドル１２５を使用して、便器１４４をその休止位置から使用可能な位置まで引き出す。そうすることで、プルドア１２６ａ、１２６ｂが開かれ、使用者が便器ユニットを見ることを可能にする。その後、ユーザは便器１４４のトイレ蓋１２７を持ち上げて、ユーザの便宜に従ってそれを使用する。便器１４４は、便器１４４を積み重ね可能なトイレ１００の筐体キャビネット１００ａの内外に引きずるのにさらに使用されるホイールベース１２４上に載る背板１２８と接続される。伸縮レール１２９は、便器１４４の前方への移動を助ける。格納式汚水管１３０は、使用に応じてさらに弛緩および収縮する。
【００５６】
図４Ａは、本主題の一実施形態による積み重ね可能なトイレにおける筐体キャビネットのシャワーユニットの休止位置および使用可能位置を示す。その休止位置において、垂直に立てられたシャワーユニット１０１は、内側および外側への移動のためにホイールベース１３３上に配置される。シャワーユニット１０１は、筐体キャビネット１００ａの最上部の収納に配置された隠されたシャワーヘッド、ミキサ１３８を有するドア、および衛生目的に関連する様々なアイテムを収納するための収納キャビネット１０５を備えている。
【００５７】
本主題の一実施形態では、シャワーユニット１０１は、ホイールベース１３３およびレール１３４を使用して休止位置から使用可能位置に引き出されてもよく、そうすることで、筐体キャビネット１００ａの最上部収納に配置される隠しシャワーヘッドも途中で引き出される。さらに、ハンドシャワーおよびミキサ１３８を見るためにドア１３７を開くことができる。ハンドシャワーおよびミキサ１３８は、ユーザが入浴できるようにシャワーを作動させるために使用されてもよい。
【００５８】
本主題の別の実施形態では、シャワーユニットは、筐体キャビネットの最上部の収納に配置されたスクリーン（図２に見られるように）を備えてもよい。スクリーン１２１は、入浴中に筐体キャビネットから水がこぼれないように、垂直に下方向に引き出され得る。さらに、代替の実施形態では、スクリーン１２１は電動式であってもよく、手動で作動させてもよい。
【００５９】
図４Ｂは、本主題の一実施形態による積み重ね可能なトイレの筐体キャビネットのシャワーユニットの休止位置および使用可能位置の側面図を示す。図４Ｂに見られるように、シャワーユニット１０１は、その中央にハンドル１３５を有する休止位置でホイールベース１３３上に載っている。
【００６０】
シャワーを休止位置からその使用可能な位置にするために、シャワーユニット１０１は、その前方移動のためにハンドル１３５を使用することにより引き出されてもよい。シャワーユニットが筐体キャビネットから引き出されると、隠れシャワーヘッドを含む最上部の収納もシャワーユニット１０１に沿って引き出される。ここで、ユーザが入浴するためのハンドシャワーおよびミキサを使用することにより、シャワーユニット１０１を作動させることができる。
【００６１】
図５は、本主題の一実施形態による、積み重ね可能なトイレ１００における筐体キャビネット１００ａの鏡１０４および洗面台１０３を示している。鏡１０４は、筐体キャビネット１００ａの上部の洗面台１０３の真上に配置されている。洗面台１０３は、主水入口または蛇口入口１４１と接続されていてもよい。
【００６２】
本主題の別の実施形態では、洗面台１０３は、歯ブラシ用の１つまたは複数のスタンド１４２、石鹸用のトレイ１４２などを含み得る。
【００６３】
図６は、本主題の別の実施形態による可動洗面台またはシンクの側面図を示す。壁１５０は、２つの縦側棒１５１ａ、１５１ｂで垂直に立てられている。
【００６４】
本主題の代替実施形態では、シンク１０３は、垂直方向に移動することができる可動シンク１０３とすることができる。可動シンク１０３は、可動シンク１０３を動かすためのばね棒１４６上に配置されている。縦棒１５１ａ、１５１ｂは、可動シンク１０３を異なる高さに係止するために、垂直方向に複数の係止穴を含む。可動シンク１０３は、タップとしての調節可能な角度１４５と共にタップとしてのハンドシャワー１４１と、ミキサ１５２とを備えている。可動シンク１０３と壁１５０との間に接続された排水管１４７は、可動シンク１０３から出口に廃水を排出するために使用される。
【００６５】
図６に見られるように、可動シンク１０３が配置される壁１５０も鏡１０４を含む。縦棒１５１ａ、１５１ｂは、可動シンク１０３の高さを、好ましくは３フィートから６フィートの間で調整するための係止穴１４９を含む。可動シンク１０３は、ユーザにとって使いやすいように、壁１５０上の最適な高さ、例えば３フィートに配置されている。
【００６６】
図７に見られるように、本主題の別の実施形態では、可動シンク１０３は、ばね棒１４６を使用することによって壁１５０の上部に配置され係止されている。
【００６７】
図８は、本主題の一実施形態による可動シンクの斜視図を示す。図８に見られるように、可動シンク１０３は、ユーザへの使用を容易にするために、壁１５０および縦棒１５１ａ、１５１ｂ上の最適な高さに配置されている。縦棒１５１ａ、１５１ｂは、床取り付け支柱１５３ａ、１５３ｂに立てられている。
【００６８】
本明細書で説明する本主題は、スペースを節約し、コストを節約し、コンパクトな構造を提供する、シャワーユニット、便器ユニット、および洗面台の一体型のシステムを提供する積み重ね可能なトイレキャビネットに関する。積み重ね可能なトイレキャビネットの構成要素は、使用する必要があるとき、または必要に応じて前後に移動できるようにホイールベースに配置されている。積み重ね可能なトイレキャビネットは、キャビネットの審美的な魅力を高めるために、隠された管と水槽のシステムも備えている。
【００６９】
特定の実施形態を参照して本発明を説明したが、この説明は限定的な意味に解釈されることを意図したものではない。本発明の説明を参照すると、開示された実施形態の様々な修正、および本発明の代替実施形態が当業者に明らかになるであろう。したがって、定義された本発明の精神または範囲から逸脱することなく、そのような修正を行うことができると考えられる。
【図１Ａ】
0006831137.tif 000002
【図１Ｂ】
0006831137.tif 000003
【図２】
0006831137.tif 000004
【図３Ａ】
0006831137.tif 000005
【図３Ｂ】
0006831137.tif 000006
【図４Ａ】
0006831137.tif 000007
【図４Ｂ】
0006831137.tif 000008
【図５】
0006831137.tif 000009
【図６】
0006831137.tif 000010
【図７】
0006831137.tif 000011
【図８】
0006831137.tif 000012